(57)【特許請求の範囲】
【請求項１】
本体部は、ベース部と、このベース部の対向する二辺に立設される側壁部と、この側壁部に取り付けられるカバー部との各別部材から組立て構成され、前記側壁部には、この内部に設けられる配管の出入孔が開口されている合成樹脂製のシャワー装置の本体部であって、
前記ベース部の入口部が前記側壁部よりも前方に突出して設けられ、かつ、前記側壁部に沿って平面視コの字状の腰洗い用配管が突設され、前記側壁部の上面部から上方に複数の頭上用配管が突設されると共に、
前記腰洗い用配管に使用者の腰の高さ付近に向けて放水する小孔が穿設され、前記頭上用配管に使用者の頭に向けて放水する小孔が穿設され、
前記入口部に排水孔が設けられ、且つこの排水孔に近接してオーバーフロー用の枠孔が設けられていることを特徴とするユニット式シャワー装置。
【発明の詳細な説明】
【０００１】
【産業上の利用分野】
本発明は、水泳プールに隣接して設置可能なユニット式シャワー装置に関するものであり、給水管及び排水管の配管を簡便にすることができるものである。
【０００２】
【従来の技術】
一般に、水泳プールでの水泳の前後においては、頭上からシャワーを浴びて身体を洗うようになっている。従来、学校等では水泳プールに隣接してシャワーによる洗い場が設置されている。このシャワーの放水、停止は、水道管とシャワー用配管との間に設けられたバルブを手動で開閉して行ったり、バルブを電動バルブで構成し、この電動バルブの開閉を制御するスイッチにより行うようにしたシャワー装置が用いられていた。
【０００３】
しかしながら、上記従来のシャワー装置によると、シャワー装置本体が合成樹脂等により一体成形されているが、その成形用金型が大きくなる問題があり、又シャワー装置本体への給水用配管の接続や保守を容易に行うことができないため作業性の向上が図れないという問題があった。更に、配管が丸見えとなって見栄えが良くないという問題もあった。通常、シャワー装置本体にはセンサが取り付けられ、このセンサにより使用者を検出してシャワーの作動を制御するようにしているが、洗い場への出入時点とシャワーの作動時点とにずれが生じて不適正な事態が生じることがあった。
【０００４】
【発明が解決しようとする課題】
本発明は、上記従来のシャワー装置における問題を主として解消することを目的とし、シャワー装置本体を成形する金型が大きくならず、給水用配管の接続や保守が容易にでき、且つ配管が丸見えとならず、給水管及び排水用配管の配管が簡便なユニット式シャワー装置を提供することを目的とする。
【０００５】
【課題を解決するための手段】
上記課題を解決するために工夫したユニット式シャワー装置は、その本体部は、ベース部と、このベース部の対向する二辺に立設される側壁部と、この側壁部に取り付けられるカバー部との各別部材から組立て構成され、前記側壁部には、この内部に設けられる配管の出入孔が開口されている合成樹脂製のシャワー装置の本体部であって、
前記ベース部の入口部が前記側壁部よりも前方に突出して設けられ、かつ、前記側壁部に沿って平面視コの字状の腰洗い用配管が突設され、前記側壁部の上面部から上方に複数の頭上用配管が突設されると共に、
前記腰洗い用配管に使用者の腰の高さ付近に向けて放水する小孔が穿設され、前記頭上用配管に使用者の頭に向けて放水する小孔が穿設され、
前記入口部に排水孔が設けられ、且つこの排水孔に近接してオーバーフロー用の枠孔が設けられているものである。
【０００６】
【作用】
本発明に係るシャワー装置の本体部は、ベース部、側壁部及びカバー部から構成されており、これらを別部材とすることにより成形用金型が大きくなることを防止できる。又、カバー部が取り外された状態で給水用配管の接続や保守を容易に行うことができ、このカバー部により内部の配管が見えないように覆うことで見栄えを良くすることができ、給水管の配管が簡便である。
また、腰洗い用配管を併設することで、頭上からのみならず腰部付近に向けて放水することが可能となる。
さらに、ベース部の入口側隅部に排水孔及びオーバーフロー用の枠孔を設けることで、これらが邪魔になることはない。また、排水孔とオーバーフロー用の枠孔が近接しているので、排水孔と上記枠孔の排水用配管が短くてすみ、この排水管の配管が簡便である。
【０００７】
【実施の形態】
次に、本発明に係るユニット式シャワー装置の実施の形態を添付図面に基づいて説明する。
このユニット式シャワー装置は、本体部１及び配管２等から構成され、プールに隣接して容易に設置することができるようになっている。まず、本体部１について説明する。
【０００８】
本体部１は、例えばＦＲＰ製で、べ一ス部１１、側壁部１２ａ，１２ｂ及びカバー部１３ａ，１３ｂの３パーツから構成されている。べ一ス部１１は、略長方形で、シャワーを浴びる洗い場の平板部１１１及びこの周囲に形成され、水の流出を防ぐために平板部１１１より高くなっている枠部１１２からなり、一体成形により製造されている。側壁部１２ａ，１２ｂは、べ一ス部１１の対向する二辺に立設され、それぞれ側面部１２１及び上面部１２２からなり、内部に配管２が引き回されている。カバー部１３ａ，１３ｂは、それぞれ外側面部１３１及び上面部１３２からなり、側壁部１２ａ，１２ｂ内の配管２を覆うものである。
【０００９】
平板部１１１の一隅には、排水孔１６が穿設され、不図示の排水管に接続されて放水されたシャワーの水を排水するものである。枠部１１２の一隅には、枠孔１７が穿設され、排水管（図示略）に接続されて水のオーバーフローを防止するようになっている。
【００１０】
図４は図２のＡ−Ａ断面図で、べ一ス部１１、側壁部１２ｂ及びカバー部１３ｂの接続構造を示す図である。なお、べ一ス部１１、側壁部１２ａ及びカバー部１３ａの接続も全く同様の構造になっている。べ一ス部１１と側壁部１２ｂとは、枠部１１２及び側面部１２１の端部が折り曲げられて重ね合わされ、止めねじ１４により接続されている。また、カバー部１３ｂと側壁部１２ｂとは、上面部１２２，１３２が重ね合わされ、止めねじ１５により接続されている。ここで、上面部１２２の端部近傍には溝１２３が形成され、一方、上面部１３２の先端１３３は溝１２３内に入り込むように下方に折り曲げられている。
【００１１】
このように、本体部１は、べ一ス部１１、側壁部１２ａ，１２ｂ及びカバー部１３ａ，１３ｂから構成されている。べ一ス部１１及び側壁部１２ａ，１２ｂを別部材とすることにより、金型が大きくなることを防止できる。また、カバー部１３ａ，１３ｂを別部材とすることにより、カバー部１３ａ，１３ｂが取り外された状態で配管２の接続や保守を容易に行うことができるので、作業性の向上を図ることができる。また、カバー部１３ａ，１３ｂにより内部の配管２が見えないように覆っているので、見栄えがよい。
【００１２】
さらに、溝１２３及び先端１３３の溝１２３内への折り曲げにより、側壁部１２ａ（１２ｂ）とカバー部１３ａ（１３ｂ）との接続部から内部に水漏れが生じない。従って、側壁部１２ａ又は１２ｂの内部適所に配設される後述の制御盤に水がかからないようになっている。
【００１３】
次に、配管２の構成について図１、図２に基づいて説明する。
給水管２６は、一端が不図示の給水ポンプまたは水道管に、他端がバルブＶ１を介して分流部２１に接続されている。分流部２１は、一方がバルブＶ２を介して排水管２７に、他方が他の分流部２２に接続されている。排水管２７は、排水溝（図示略）に接続され、配管２内に残留している水を排水するようになっている。
【００１４】
前記分流部２２は、さらに一方が分流管２３ａに、一方が分流管２３ｂに接続されている。分流管２３ａは、腰洗い用配管２４ａ及び頭上用配管２５に、分流管２３ｂは、腰洗い用配管２４ｂ及び頭上用配管２５に接続されている。腰洗い用配管２４ａ（２４ｂ）は、側壁部１２ａ（１２ｂ）に沿って、当該側壁部から洗い場に突出して配設され、数箇所に穿設された小孔から使用者の腰の高さ付近に向けて放水するようになっている。頭上用配管２５は、側壁部１２ａから側壁部１２ｂに渡って、分流管２３ａから分流管２３ｂにアーチ状に配設され、数箇所に穿設された小孔から使用者の頭に向けて放水するようになっている。
【００１５】
バルブＶ１は、水の流路を開閉し、給水管２６からの水の供給を制御することによりシャワーの放水、停止を制御する電動バルブで、その開閉動作は、後述する制御部ＰＣ１から入力される信号により行われるようになっている。バルブＶ２は、配管２内に残留している水の排水を制御するもので、通常は「閉」であり、排水するときのみ「開」にされるようになっている。
【００１６】
次に、このユニット式シャワー装置の使用者を検出する人センサの配設について、図１、図５に基づいて説明する。図５は人センサＳＥ１，ＳＥ２の配設構造を示す図で、（ａ）は斜視図、（ｂ）は断面図である。
【００１７】
人センサＳＥ１は、側壁部１２ａの一方のコーナー部（図１の側壁部１２ａの右下）に設けられたセンサボックス４１ａ内のブラケット４２ａ上に、人センサＳＥ２は、側壁部１２ｂの他方のコーナー部（図１の側壁部１２ｂの左上）に設けられたセンサボックス４１ｂ内のブラケット４２ｂ上に、それぞれ配設されている。人センサＳＥ１（ＳＥ２）は、例えば赤外線センサからなり、ポリカーボネイト樹脂等で形成されたプレート４３ａ（４３ｂ）を通して、それぞれ図１中、矢印方向に赤外光を発光するもので、この矢印方向の所定距離の範囲内、例えば２〜３ｍの位置で人が横切ると、その反射光により人を検出するものである。
【００１８】
このように、人センサＳＥ１，ＳＥ２を側壁部１２ａ，１２ｂのコーナー部に配設し、洗い場の出入口から幾分離れた位置で人を検出するようにしたので、人を検出した時点からバルブＶ１の駆動を開始すれば、使用者が洗い場に入った時点から遅れることなく、直ぐにシャワーの放水を開始することができる。
【００１９】
次に、このユニット式シャワー装置の制御系について、図６〜図１１に基づき説明する。図６はこのシャワー装置の制御回路図である。図７はこの制御回路が収納された制御盤を示す図で、（ａ）は上面図、（ｂ）は正面図、（ｃ）は主要部品の配置を示す制御盤内部の図である。
【００２０】
スイツチＳＷ１は、この制御回路の電源をオン、オフするもので、ＡＣ１００Ｖ電源が接続される入力端子Ｔ１，Ｔ２間に漏電ブレーカＥＬＢを介して接続されている。パイロットランプＰＬ１は、スイッチＳＷ１がオンされると点灯し、電源がオン状態であることを報知するものである。直流電源ＰＵ１は、ＡＣ１００Ｖ入力を降圧、整流し、ＤＣ２４Ｖを出力端子Ｐ２４（ＤＣ２４Ｖ），Ｎ２４（アースライン）間に出力するものである。
【００２１】
制御部ＰＣ１は、例えばタイマ機能を有するプログラマブル・コントローラからなり、入力端子Ｘ０，Ｘ１及び内蔵スイッチを介してアースラインに接続された出力端子Ｙ０を有し、入力端子Ｘ０またはＸ１にローレベル信号が入力されると、その入力回数に応じて、所定時間だけ出力端子Ｙ０の内蔵スイッチがオンするようになっている。上記所定時間は、上記入力回数をｎ回、Ｔ1 ，Ｔ2 を定数とすると、（Ｔ1 ＋ｎＴ2 ）に設定されている。Ｔ1 ，Ｔ2 は、予め設定された時間で、例えばＴ1 ＝１５秒、Ｔ2 ＝５秒とすると、（Ｔ1 ＋ｎＴ2 ）＝（１５＋５ｎ）秒になる。
【００２２】
人センサＳＥ１，ＳＥ２は、内部にスイッチ部ＳＥ１ａ，ＳＥ２ａを有している。このスイツチ部ＳＥ１ａ（ＳＥ２ａ）は、制御部ＰＣ１の入力端子Ｘ０（Ｘ１）とアースライン間に接続され、通常は開いており、人を検出すると所定時間だけ閉じるようになっている。
【００２３】
バルブＶ１は、出力端子Ｐ２４，Ｎ２４間に接続されて電源が供給されるとともに、入力端子Ｐ１が制御部ＰＣ１の出力端子Ｙ０に接続されている。そして、出力端子Ｙ０の内蔵スイッチがオンして入力端子Ｐ１にローレベル信号が入力されると、バルブＶ１が開き、その他のときは閉じるようになっている。
【００２４】
次に、バルブＶ１の開閉動作の一例について、図８のフローチャート及び図９のタイミングチャートに基づき説明する。
スイッチＳＷ１がオンにされ、電源が投入されると、人センサＳＥ１またはＳＥ２が人を検出するまでは（ステップＳ１でＮＯ）、バルブＶ１を閉じておく（ステップＳ２）。そして、人を検出すると（ステップＳ１でＹＥＳ）、バルブＶ１を開いてシャワー放水を開始し（ステップＳ３）、パラメータｎ＝１、タイマＴ＝０として（ステップＳ４）、タイマ動作、すなわちＴのカウントを開始する（ステップＳ５）。
【００２５】
そして、Ｔ≦Ｔ1 ＋ｎＴ2 の間は（ステップＳ６でＹＥＳ）、人センサＳＥ１又はＳＥ２が人を検出しなければ（ステップＳ７でＮＯ）、ステップＳ６に戻ってタイマカウント動作を継続する。
【００２６】
一方、人を検出すれば（ステップＳ７でＹＥＳ）、パラメータｎをインクリメントし（ステップＳ８）、ステップＳ６に戻る。そして、Ｔ＞Ｔ1 ＋ｎＴ2 になると（ステップＳ６でＮＯ）、バルブＶ１を閉じて放水動作を停止する（ステップＳ２）。
【００２７】
例えば、人センサＳＥ１またはＳＥ２が人を２回検出すると、図９（ａ）に示すように、（Ｔ1 ＋２Ｔ2 ）秒だけ放水動作を継続し、人を５回検出すると、図９（ｂ）に示すように、（Ｔ1 ＋５Ｔ2 ）秒だけ放水動作を継続する。
【００２８】
次に、バルブＶ１の開閉動作の別の例について、図１０のフローチャート及び図１１のタイミングチャートに基づき説明する。なお、ステップＳ１１〜ステップＳ１７は、ステップＳ１〜ステップＳ７と同一であるので、説明を省略する。
【００２９】
ステップＳ１７において、人センサＳＥ１またはＳＥ２が人を検出すれば（ステップＳ１７でＹＥＳ）、パラメータｎと予め設定された値Ｎ0 とを比較し（ステップＳ１８）、ｎ＝Ｎ0 になるまでは（ステップＳ１８でＮＯ）、パラメータｎをインクリメントして（ステップＳ１９）、ステップＳ１６に戻る。そして、ｎ＝Ｎ0 になると（ステップＳ１８でＹＥＳ）、そのままパラメータｎをインクリメントせずに、ステップＳ１６に戻る。
【００３０】
図１１はＮ0 ＝１０の場合のバルブＶ１の開閉動作を示すタイミングチャートで、（Ｔ1 ＋１０Ｔ2 ）秒で一旦放水動作を停止するようになっている。
このように、パラメータｎに上限値Ｎ0 を設けることにより、非常に多くの人数が入場した場合に、パラメータｎが増大することにより、洗い場から人が出ていって無人になった状態でも放水動作が継続してしまうことを防止することができる。
【００３１】
なお、多くの人数が入場し、ｎ＝Ｎ0 になって放水が停止した場合でも、図１１に示すように、直ぐに次の人を検出して放水が再開されるので、問題が生じることはない。
【００３２】
【発明の効果】
以上説明したように、本発明は、シャワー装置の本体部を、洗い場となるベース部と、このベース部の対向する二辺に立設される側壁部と、この側壁部に取り付けられるカバー部とから構成したので、成形用金型が大きくなるのを防止することができる。又、カバー部を取り外した状態で給水用配管の接続や保守を容易に行うことができるので、作業性の向上を図ることができ、このカバー部により内部の配管が見えないように覆うことで見栄えを良くすることができる。
さらに、本発明は、腰洗い用配管を併設したので、頭上からのみならず腰部付近に向けて放水して身体洗浄を効率良く行え、ベース部の入口側隅部に排水孔及びオーバーフロー用の枠孔を設けたので、これらが邪魔にならず安全性を確保することができる。
【００３３】
また請求項１に係る発明では、側壁部に開口があって、この開口が全ての配管の出入孔となっているので、ベース部等に別途孔加工することなしに配管することができ、さらに、側壁部の中に配管を納めることができて、外に露出しないので外観がよい。さらにまた、前記ベース部の入口部が前記側壁部よりも前方に突出して設けられている。
【００３４】
また、腰洗い用配管は側壁部に沿って平面視コの字状に構成され、頭上用配管は側壁部の上面部から上方に突設されると共に、前記腰洗い用配管に使用者の腰の高さ付近に向けて放水する小孔が穿設され、前記頭上用配管に使用者の頭に向けて放水する小孔が穿設されているので、使用者がシャワー装置に入ると、シャワーが腰及び頭にかかり、効率よく身体を洗浄できるようになっている。さらにまた、前記ベース部の側壁部よりも前方に突出した入口部に排水孔を設け、この排水孔に近接してオーバーフロー用の枠孔が設けられているので、排水孔と上記枠孔の排水配管が短くてすみ、この排水管の配管が簡便である。
【図面の簡単な説明】
【図１】本発明に係るユニット式シャワー装置の実施形態を示す平面図である。
【図２】同ユニット式シャワー装置の正面図である。
【図３】同ユニット式シャワー装置の側面図である。
【図４】図２のＡ−Ａ断面図である。
【図５】人センサの配設構造を示す図で、（ａ）は斜視図、（ｂ）は断面図である。
【図６】本発明に係るユニット式シャワー装置の制御回路を示す回路図である。
【図７】（ａ）は図６の制御回路が収納された制御盤の上面図、（ｂ）は同制御盤の正面図、（ｃ）は同制御盤内の主要部品の配置を示すレイアウト図である。
【図８】放水動作手順の一例を示すフローチャートである。
【図９】（ａ）（ｂ) は図８の動作手順による人センサの検出動作に対するバルブの動作状態を示すタイミングチャートである。
【図１０】放水動作手順の別の例を示すフローチャートである。
【図１１】図１０の動作手順による人センサの検出動作に対するバルブの動作状態を示すタイミングチャートである。
【符号の説明】
１・・・本体部
２・・・配管
１１・・・べ一ス部
１２ａ，１２ｂ・・・側壁部
１３ａ，１３ｂ・・・カバー部
１４，１５・・・止めねじ
１６・・・排水孔
１７・・・枠孔
２１，２２・・・分流部
２３ａ，２３ｂ・・・分流管
２４ａ，２４ｂ・・・腰洗い用配管
２５・・・頭上用配管
２６・・・給水管
２７・・・排水管
ＳＥ１，ＳＥ２・・・人センサ
【図１】
0003564110.tif 000002
【図２】
0003564110.tif 000003
【図３】
0003564110.tif 000004
【図４】
0003564110.tif 000005
【図５】
0003564110.tif 000006
【図６】
0003564110.tif 000007
【図７】
0003564110.tif 000008
【図８】
0003564110.tif 000009
【図９】
0003564110.tif 000010
【図１０】
0003564110.tif 000011
【図１１】
0003564110.tif 000012